(57)【要約】【課題】清掃が容易である、異物除去構造および媒体処理装置を提供する。【解決手段】紙幣収納部１０ａに入れられた異物を除去する異物除去構造であって、紙幣収納部１０ａの底部に形成され、前記異物を通過させる異物通過用の孔部１０ｅと、紙幣収納部１０ａの下方に配置される異物除去部１０ｂと、を備え、異物除去部１０ｂは、異物除去部本体２０と、異物除去部本体２０に着脱可能であり、孔部１０ｅを通過した前記異物を受け入れる異物用容器３０と、を有する。【選択図】図３
2020087032.tif 000002
【特許請求の範囲】
【請求項１】
紙幣収納部に入れられた異物を除去する異物除去構造であって、
前記紙幣収納部の底部に形成され、前記異物を通過させる異物通過用の孔部と、
前記紙幣収納部の下方に配置される異物除去部と、を備え、
前記異物除去部は、
異物除去部本体と、
前記異物除去部本体に着脱可能であり、前記孔部を通過した前記異物を受け入れる異物用容器と、を有する、
ことを特徴とする異物除去構造。
【請求項２】
前記異物除去部本体は、電動モータを備え、
前記異物用容器は、複数の搬送プーリと、複数の前記搬送プーリに架けられると共に前記電動モータの駆動力によって回動する搬送ベルトと、を備える、
ことを特徴とする請求項１に記載の異物除去構造。
【請求項３】
前記異物用容器は、前記搬送プーリおよび前記搬送ベルトを支持する筐体を備え、
前記筐体には、清掃用の開口部が形成されている、
ことを特徴とする請求項２に記載の異物除去構造。
【請求項４】
前記異物用容器を前記異物除去部本体に固定する固定手段をさらに備え、
前記電動モータは、前記固定手段の近傍に配置された前記搬送プーリを介して前記搬送ベルトに駆動力を伝達する、
ことを特徴とする請求項２または請求項３に記載の異物除去構造。
【請求項５】
前記固定手段および前記電動モータは、前記異物用容器の挿入口側に設けられており、
前記電動モータは、前記異物用容器の挿入口の近傍に配置された前記搬送プーリを介して前記搬送ベルトに駆動力を伝達する、
ことを特徴とする請求項４に記載の異物除去構造。
【請求項６】
前記異物除去部本体は、前記孔部に対向する側が凹んだ器形状を呈する他の異物用容器を、前記異物用容器に代えて装着可能である、
ことを特徴とする請求項１ないし請求項５の何れか一項に記載の異物除去構造。
【請求項７】
請求項１ないし請求項６の何れか一項に記載の異物除去構造を備えることを特徴とする媒体処理装置。
【発明の詳細な説明】
【技術分野】
【０００１】
本発明は、異物除去構造および媒体処理装置に関する。
【背景技術】
【０００２】
従来、現金自動預払機（ＡＴＭ：Automated /Automatic Teller Machine）等の媒体処理装置として、例えば、特許文献１に示す構成のものが開発されている。特許文献１に示す現金自動預払機は、紙幣投入取出部に誤って投入された異物（例えば、硬貨、クリップ、遊戯用のメダルなど）を返却口に排出する異物排出部を備えている。異物排出部は、例えば、一対の搬送プーリと、一対の搬送プーリに架けられた搬送ベルトと、駆動源としてのモータと、異物を検出するセンサとを含んで構成され、モータによって搬送ベルトを回転させて異物を搬送する。
【先行技術文献】
【特許文献】
【０００３】
【特許文献１】特開２０１３−１２５３０９号公報（段落０００５〜００３２、図２３〜図２４）
【発明の概要】
【発明が解決しようとする課題】
【０００４】
ここで、ほこり等が異物排出部に入り込み搬送ベルトや搬送プーリに詰まると、搬送ベルトが回転しなくなったり、回転したとしてもモータの負荷が増大してしまう。そのため、異物排出部を定期的に清掃する必要がある。従来の異物排出部は、例えば、搬送ベルトの上部を開放できる構造になっており、作業員は、異物排出部を清掃する場合に搬送ベルトの上部を開放し、搬送ベルトを露出した状態にして異物排出部（特に、搬送ベルトや搬送プーリ）の清掃を行う。なお、何かしらの理由により異物が除去しきれずに搬送ベルト上に異物が残ってしまった場合も同様に、搬送ベルトを露出した状態にして異物の除去を行う。
【０００５】
しかしながら、従来の異物排出部は、装置本体と一体的に構成されているので、清掃がしづらいという問題があった。
つまり、搬送ベルトの両側には異物が侵入しないようにガイドが形成されているため、搬送ベルトとガイドとの間に清掃治具（例えば、薄い板状のもの）を入れてほこり等を除去することになるが、搬送ベルトとガイドとの隙間は狭いのでうまくほこりを除去することが難しい。
また、従来の異物排出部は、上部を開放する構造であるので、搬送ベルトの上面しか視認することができない。そのため、搬送ベルトの内側や搬送プーリを視認することができず、ほこり等を完全に除去できているか否かを確認することができなかった。
【０００６】
本発明は、前記問題に鑑みてなされたものであり、清掃が容易である、異物除去構造および媒体処理装置を提供するものである。
【課題を解決するための手段】
【０００７】
前記課題を解決するため、本発明の一態様に係る異物除去構造は、紙幣収納部に入れられた異物を除去する異物除去構造であって、前記紙幣収納部の底部に形成され、前記異物を通過させる異物通過用の孔部と、前記紙幣収納部の下方に配置される異物除去部と、を備え、前記異物除去部は、異物除去部本体と、前記異物除去部本体に着脱可能であり、前記孔部を通過した前記異物を受け入れる異物用容器と、を有することを特徴とする。
【０００８】
また、本発明の一態様に係る媒体処理装置は、前記異物除去構造を備えることを特徴とする。
【発明の効果】
【０００９】
本発明によれば、清掃が容易である。
【図面の簡単な説明】
【００１０】
【図１】本発明の実施形態に係る現金自動預払機の外観斜視図である。
【図２】本発明の実施形態に係る現金自動預払機（紙幣入出金機側）の内部構成を示す図である。
【図３】本発明の実施形態に係る紙幣入出金機の外観斜視図である。
【図４】本発明の実施形態に係る異物除去部の外観斜視図である。
【図５】本発明の実施形態に係る異物除去部本体の外観斜視図である。
【図６】本発明の実施形態に係る異物用容器の外観斜視図である。
【図７】変形例に係る異物用容器の外観斜視図である。
【発明を実施するための形態】
【００１１】
以下、図面を参照して、本発明の実施の形態について詳細に説明する。各図は、本発明を十分に理解できる程度に、概略的に示してあるに過ぎない。よって、本発明は、図示例のみに限定されるものではない。また、参照する図面において、本発明を構成する部材の寸法は、説明を明確にするために誇張して表現されている場合がある。なお、各図において、共通する構成要素や同様な構成要素については、同一の符号を付し、それらの重複する説明を省略する。
【００１２】
≪実施形態に係る現金自動預払機の構成≫
図１ないし図６を参照して、実施形態に係る現金自動預払機１の構成について説明する。現金自動預払機１の説明における「上下」、「左右」、「前後」は、図１の矢印に従う。当該方向は、説明の便宜上定めるものであり、本発明を限定するものではない。
【００１３】
図１に示す現金自動預払機１は、顧客に対して金融サービスを提供するためのアクセスポイントとしての役割を果たすものである。現金自動預払機１は、例えば銀行の支店、コンビニなどに設置され、利用者（すなわち金融機関等の顧客）との間で入金取引や出金取引等の現金に関する取引を行う。
【００１４】
現金自動預払機１は、前面が開口した箱型の筐体２と、筐体２の前面下部に配設される前面扉３と、筐体２の前面上部に配設されており、顧客により操作されるフロントパネル４とを備えて構成されている。
【００１５】
筐体２は、内部に各種のユニット（例えば、紙幣入出金機１ａや硬貨入出金機１ｂ）を収納する。筐体２の前面側上部は凹んだ形状を呈している。紙幣入出金機１ａは、紙幣に関する種々の処理を行うユニットである。硬貨入出金機１ｂは、硬貨に関する種々の処理を行うユニットである。
前面扉３は、筐体２の前面下部を覆う部材であり、保守時において筐体２に収納されるユニットを操作する場合に開放される。
【００１６】
フロントパネル４は、筐体２の凹みに合わせて成形された側面視でＬ字形状を呈し、取引に必要な種々の構成要素が設けられたものである。
フロントパネル４を構成する垂直面の左側には、通帳入出口４ａが設けられている。通帳入出口４ａは、通帳の挿入や排出を行う開口部である。
フロントパネル４を構成する垂直面の右側には、カード入出口４ｂが設けられている。カード入出口４ｂは、キャッシュカードや振込カード等のカード媒体の挿入や排出を行う開口部である。
【００１７】
フロントパネル４を構成する水平面の左側には、硬貨入出金口４ｃが設けられている。硬貨入出金口４ｃは、硬貨の投入や排出を行うシャッタ付きの開口部である。
フロントパネル４を構成する水平面の右側には、紙幣入出金口４ｄが設けられている。紙幣入出金口４ｄは、紙幣の投入や排出を行うシャッタ付きの開口部である。
フロントパネル４を構成する水平面の中央には、タッチスクリーン４ｅが設けられている。タッチスクリーン４ｅは、各種の画面を表示すると共に各種の指示や情報等の入力を受け付けるタッチパネル付きの液晶ディスプレイである。
【００１８】
前面扉３の右側上部には、返却口３ａが設けられている。返却口３ａは、硬貨、クリップ、遊戯用メダル等（以下では、まとめて「異物」と称する）が紙幣入出金口４ｄに誤って投入された際、これら異物を顧客に返却するための開口部である。
【００１９】
図２を参照して、現金自動預払機１の紙幣入出金機１ａ側の内部構成について説明する。図２に示すように、現金自動預払機１の上部には、現金自動預払機１全体を統括制御する制御部１ｃが設けられている。制御部１ｃは、図示しないＣＰＵ（Central Processing Unit）を中心に構成されており、図示しないＲＯＭ（Read Only Memory）等から所定のプログラムを読み出して実行することにより、入金処理や出金処理等の種々の処理を行う。また、制御部１ｃは、内部にＲＡＭ（Random Access Memory）、ハードディスクドライブやフラッシュメモリ等でなる記憶部を有しており、この記憶部に種々の情報を記憶させる。
【００２０】
図２に示すように、主に筐体２と前面扉３とで形成された空間内には、紙幣入出金機１ａが収容されている。紙幣入出金機１ａの前側上部（紙幣入出金口４ｄの内側）には、接客部１０が設けられている。接客部１０は、利用者（顧客）との間で紙幣の受け渡しを行うユニットであり、受け渡しを行う紙幣を収納する紙幣収納部１０ａや紙幣収納部１０ａに誤投入された異物を除去する異物除去部１０ｂなどを備える。接客部１０は、回動軸部１０ｃを中心にして回動可能であり、接客部１０内でジャムが発生した場合などに、保守員は、接客部１０を引き上げた状態（開放した状態）でジャム紙幣を取り除くことができる。接客部１０の詳細は後述する。
【００２１】
紙幣入出金機１ａは、それ以外に、紙幣を各部へ搬送する搬送路１１、紙幣を鑑別する鑑別部１２、紙幣を一時的に収納する一時保留部１３、紙幣を金種別に収納する紙幣収納カセット１４，１５，１６および取り引きの際に異常であると鑑別された紙幣（いわゆるリジェクト紙幣）を収納するリジェクトカセット１７を備える。なお、図２に示す紙幣入出金機１ａの構成はあくまで例示であり、ここで説明するものに限定されない。
【００２２】
図３を参照して（適宜、図１および図２参照）、接客部１０について説明する。図３に示すように、接客部１０は、紙幣入出金口４ｄ（図２参照）に対応する位置に紙幣収納部１０ａを有する。紙幣収納部１０ａは、シャッタ１０ｄによって図３の符号α方向に開閉し得る構成になっている。紙幣収納部１０ａには、複数の紙幣が紙面を前後方向に向けた状態で重ねて収納される（すなわち、前後方向に沿って整列された状態で収納される）。入金時において紙幣収納部１０ａに収納された紙幣は、図示しない繰出しローラによって１枚ずつに分離させて搬送路１１（図２参照）に送り出される。また、出金時には、搬送路１１を用いて搬送された紙幣が紙幣収納部１０ａ内に収納される。
【００２３】
紙幣収納部１０ａの底部には、紙幣収納部１０ａ内の紙幣を支える少なくとも一つ（ここでは、二つ）の紙幣支持部１０ｆ，１０ｆが設けられている。紙幣支持部１０ｆは、柱状を呈し、その長手方向が前後方向（つまり、紙幣の整列方向）になるように配置されている。これにより、紙幣収納部１０ａ内の紙幣は、紙幣支持部１０ｆに対して略直交し、紙幣の長辺が紙幣支持部１０ｆに接触する。
【００２４】
二つの紙幣支持部１０ｆ，１０ｆの両側および間には、異物を落下（通過）させるための孔部１０ｅが形成されている。孔部１０ｅのサイズや形状は、想定される異物が通過するものであればよい。この構成により、誤って異物が紙幣と共に紙幣収納部１０ａに投入された場合（例えば、異物が紙幣に挟まった状態で投入された場合）、紙幣のみが紙幣支持部１０ｆに支えられて紙幣収納部１０ａに留まり、異物は孔部１０ｅを通過して異物除去部１０ｂに到達する。
【００２５】
図３に示す異物除去部１０ｂは、紙幣収納部１０ａに誤って投入され、孔部１０ｅを通過した異物を接客部１０から除去するものである。異物除去部１０ｂは、紙幣収納部１０ａに形成される孔部１０ｅを通過した異物が到達する位置（ここでは、下方）に配置されている。異物除去部１０ｂによる異物の除去方法は、様々な方法を選択することができる。本実施形態では、ベルトコンベアによって異物を返却口３ａに搬送する場合を想定して説明する。
【００２６】
図４ないし図６を参照して（適宜、図１ないし図３参照）、本実施形態に係る異物除去部１０ｂについて説明する。図４に示すように、本実施形態に係る異物除去部１０ｂは、環状（無端状）にした幅広（帯状）の搬送ベルト３３を駆動源である電動モータ２３によってγ１方向に回動させ、搬送ベルト３３に載置した異物Ｆを右方向に搬送する。搬送ベルト３３の長手方向（左右方向）の中央には、搬送ベルト３３を短手方向に横切るようにスプリング２５が配置されている。スプリング２５は、例えば圧縮コイルバネであり、重なり合った異物Ｆを崩す役割を担う。搬送ベルト３３により搬送された異物Ｆは、ガイド２１ｅと搬送ベルト３３との隙間４１を通過し、異物除去部１０ｂの一端側（ここでは右側）に形成された排出口２１ｄから排出される。排出口２１ｄから排出された異物Ｆは、例えば、図示しない通路を通って返却口３ａ（図２参照）に到達する。なお、異物除去部１０ｂは、図示しないセンサによって異物Ｆの詰まりを検出し、搬送ベルト３３をγ２方向に回動して、異物Ｆの詰まりを解消する。
【００２７】
図４に示す異物除去部１０ｂは、主に、異物除去部本体２０と、異物用容器３０とにより構成されており、異物除去部本体２０と異物用容器３０とは分離可能である。図３に示すように、異物除去部本体２０は、紙幣収納部１０ａ内に固定されており、一方、異物用容器３０は、異物除去部本体２０に着脱可能である。
【００２８】
現金自動預払機１が稼働している状態では、図４に示すように、異物除去部本体２０と異物用容器３０とは固定手段４２により固定され、前述した通りに搬送ベルト３３を回動させて異物Ｆを返却口３ａ（図２参照）に排出する。固定手段４２は、異物用容器３０を異物除去部本体２０に固定できるものであれよく、固定方法などは特に限定されない。固定手段４２は、例えば、ネジである。
【００２９】
一方、異物除去部１０ｂの清掃を行う場合や、除去しきれずに搬送ベルト３３上に異物Ｆが残ってしまった場合には、固定手段４２による固定を解除して、図３に示すように、異物用容器３０を異物除去部本体２０からβ１方向に引き出し、異物用容器３０の清掃などの処置を行う。そして、処置後には、異物用容器３０を異物除去部本体２０に差し込み（β２方向）、異物除去部本体２０と異物用容器３０とを固定手段４２によって固定する。
【００３０】
次に、異物除去部１０ｂを構成する異物除去部本体２０および異物用容器３０について説明する。図５に示すように、異物除去部本体２０は、横長（左右方向に長尺）の本体側筐体２１と、左端部に設けられたブラケット２２と、電動モータ２３と、第一ギヤ２４と、左右方向の中央に設けられたスプリング２５と、を主に備えている。
【００３１】
本体側筐体２１は、異物用容器３０を収納するものであり、異物用容器３０に対応した箱型を呈する。本体側筐体２１は、例えば樹脂製である。本体側筐体２１の上部は、異物用容器３０が備える搬送ベルト３３を露出するために開口している（以下、「上部開口部２１ｃ」と称する）。また、本体側筐体２１の一端側（ここでは右側）には、異物Ｆを排出するための排出口２１ｄが形成され、また、他端側（ここでは左側）には、異物用容器３０を挿入するための挿入口２１ａが形成されている。挿入口２１ａのサイズ、および挿入口２１ａから連続して形成され異物用容器３０を収納する内部空間２１ｂのサイズは、異物用容器３０のサイズと同じか少しだけ大きくなっている。なお、異物用容器３０の着脱を容易にするために、本体側筐体２１と異物用容器３０とが接触する部分にベアリング等を設けてもよい。
【００３２】
図５に示すように、電動モータ２３は、ブラケット２２を介して本体側筐体２１に取り付けられている。ブラケット２２は、例えば金属製であり、平面視で略Ｌ字状を呈している。ブラケット２２には、異物用容器３０を異物除去部本体２０に固定するためのネジ止め用のネジ孔２２ａが形成されている。第一ギヤ２４は、電動モータ２３の出力軸に設けられている。本実施形態では、ブラケット２２、電動モータ２３および第一ギヤ２４は、挿入口２１ａが形成される側の端部（つまり、挿入口２１ａの近く）に配置されている。スプリング２５は、両端部を本体側筐体２１に支持された状態で、上部開口部２１ｃに設けられている。
【００３３】
図６に示すように、異物用容器３０は、横長（左右方向に長尺）の容器側筐体３１と、容器側筐体３１の左右両端に設けられた一対の搬送プーリ３２ａ，３２ｂと、搬送プーリ３２ａ，３２ｂに架けられた幅広（帯状）の搬送ベルト３３と、左側の搬送プーリ３２ａの軸部に設けられた第二ギヤ３４と、弛むのを抑制するための張力を搬送ベルト３３に付与するねじりコイルバネ３５と、を主に備える。左側の搬送プーリ３２ａは、第二ギヤ３４を介して電動モータ２３に接続され、電動モータ２３の駆動力によって回動する。一方、右側の搬送プーリ３２ｂは、左側の搬送プーリ３２ａの回動力が搬送ベルト３３を介して伝達され、搬送プーリ３２ａに従動して回動する。
【００３４】
容器側筐体３１は、例えば、樹脂製であり、底部３１ａと、底部３１ａの左側および前後から連続して形成された側壁部３１ｂ，３１ｃ，３１ｄと、を備える。
側壁部３１ｂには、異物用容器３０を異物除去部本体２０に取り付ける場合や、異物除去部本体２０から異物用容器３０を取り外す場合に作業員が掴むための摘み部３１ｅが形成されている。また、側壁部３１ｂの上部の一部が上方に突出し、突出した部分に異物用容器３０を異物除去部本体２０に固定するためのネジ止め用のネジ孔３１ｆが形成されている。異物用容器３０を異物除去部本体２０に装着した状態で、ネジ孔３１ｆとネジ孔２２ａ（図５参照）とは連通する。
【００３５】
側壁部３１ｃ，３１ｄは、搬送プーリ３２ａ，３２ｂを回動可能に支持する。また、側壁部３１ｃ，３１ｄの少なくとも何れか一方は、ねじりコイルバネ３５を支持している。また、側壁部３１ｃ，３１ｄには、搬送プーリ３２ａ，３２ｂおよび搬送ベルト３３を清掃するための開口部３６が複数形成されている。開口部３６が形成される位置、数、サイズなどは、特に限定されるものではなく、搬送プーリ３２ａ，３２ｂや搬送ベルト３３を清掃し易いものであるのがよい。側壁部３１ｃ，３１ｄに開口部３６が形成されていることで、搬送ベルト３３の内側に形成されるベルト歯面や搬送プーリ３２ａ，３２ｂを視認することができるとともに、これらの部材を容易に清掃することができる。作業員は、例えば、開口部３６に棒状の清掃治具を挿入して、搬送プーリ３２ａ，３２ｂおよび搬送ベルト３３を清掃する。なお、ここでは、側壁部３１ｃ，３１ｄの両方に清掃用の開口部３６が形成されているが、何れか一方のみに開口部３６が形成されていてもよい。また、側壁部３１ｂや底部３１ａに、清掃用の開口部３６が形成されていてもよい。
【００３６】
第二ギヤ３４は、異物用容器３０が異物除去部本体２０（図５参照）に装着された状態で、電動モータ２３の出力軸に設けられた第一ギヤ２４に歯合する。電動モータ２３の駆動力は、第一ギヤ２４および第二ギヤ３４を介して一方の搬送プーリ３２ａに伝達され、一方の搬送プーリ３２ａを回動させる。また、一方の搬送プーリ３２ａが回動することで搬送ベルト３３および他方の搬送プーリ３２ｂも一緒に回動する。
【００３７】
搬送ベルト３３は、所定距離だけ離れた搬送プーリ３２ａ，３２ｂに架けられることにより、直線状に伸びる上側平坦部３３ａと、下側平坦部３３ｂとが形成される。異物用容器３０を異物除去部本体２０に装着した状態（図４参照）で、上側平坦部３３ａの表面は、上部開口部２１ｃ（図５参照）を介して露出する。上側平坦部３３ａには、紙幣収納部１０ａ（図３参照）に誤って投入されて孔部１０ｅを通過した異物Ｆが落下する。ねじりコイルバネ３５は、搬送プーリ３２ａに近い位置で、下側平坦部３３ｂを上方に押し上げており、搬送ベルト３３が弛むのを抑制している。これにより、電動モータ２３の駆動力が搬送ベルト３３に伝わり易くなっている。
【００３８】
なお、図４に示す異物除去部１０ｂと、図３に示す紙幣収納部１０ａが備える異物を異物除去部１０ｂに落下させる構成とをまとめて、「異物除去構造」と呼ぶ場合がある。つまり、異物除去構造は、紙幣収納部１０ａの底部に形成される孔部１０ｅと、異物除去部１０ｂ（異物除去部本体２０および異物用容器３０）と、を含むものである。
【００３９】
≪実施形態に係る現金自動預払機（特に、異物除去部）の清掃作業≫
図１ないし図６を参照して、作業員による現金自動預払機１（特に、異物除去部１０ｂ）の清掃作業について説明する。
【００４０】
最初に、作業員は、現金自動預払機１の前面扉３（図１参照）を開き、紙幣入出金機１ａを前方に引き出す。紙幣入出金機１ａは、例えば、スライドレールによって筐体２に支持されているので、作業員は、紙幣入出金機１ａを容易に引き出すことができる。続いて、作業員は、紙幣入出金機１ａ（図３参照）の左側に移動し、ドライバーなどの工具を用いて固定手段４２を操作し、異物除去部本体２０と異物用容器３０との固定を解除する。
【００４１】
次に、作業員は、接客部１０から異物用容器３０を抜き取り、異物用容器３０に形成される開口部３６に清掃治具を挿入して搬送プーリ３２ａ，３２ｂや搬送ベルト３３を清掃する。また、作業員は、開口部３６を介してほこり等を完全に除去できているか否かを確認する。そして、清掃を終了した作業員は、接客部１０に異物用容器３０を挿入し、ドライバーなどの工具を用いて固定手段４２を操作し、異物除去部本体２０に異物用容器３０を固定する。
【００４２】
以上のように、実施形態に係る異物除去部１０ｂおよび現金自動預払機１は、接客部１０に固定される異物除去部本体２０から異物用容器３０が取り出せる構成である。そのため、異物用容器３０の清掃が容易である。
【００４３】
特に、実施形態に係る異物用容器３０には、清掃用の開口部３６が形成されている。そのため、清掃治具を開口部３６に挿入して搬送プーリ３２ａ，３２ｂや搬送ベルト３３を清掃することができるとともに、開口部３６を介して清掃後の状態を確認できる。
【００４４】
また、実施形態に係る異物除去部１０ｂおよび現金自動預払機１では、固定手段４２と、電動モータ２３の駆動力を搬送ベルト３３に伝達する第一ギヤ２４および第二ギヤ３４と、を挿入口２１ａ側に配置している。そのため、固定手段４２によって異物除去部本体２０と異物用容器３０とが設計通りに位置決めされるので、異物除去部本体２０側に設けられた第一ギヤ２４と異物用容器３０側に設けられた第二ギヤ３４とを理想的に噛み合わせることができる。したがって、電動モータ２３の駆動力をうまく搬送ベルト３３に伝えることができる。なお、第一ギヤ２４と第二ギヤ３４との噛合い量を、一般的な噛合い量（例えば、接客部１０内の他のギヤの噛合い量）よりも大きくすることで、より電動モータ２３の駆動力をうまく搬送ベルト３３に伝えることができる。
【００４５】
さらに、実施形態に係る異物除去部１０ｂおよび現金自動預払機１は、図３に示すように、接客部１０を引き上げた状態（開放した状態）にせずに閉じた状態で接客部１０から異物用容器３０を取り出すことができる。そのため、セキュリティの関係で接客部１０の開放を行えない作業員（セキュリティレベルの低い人）でも異物除去部１０ｂを清掃することができる。つまり、異物除去部１０ｂは、セキュリティレベルの制約を受けづらい構造である。
【００４６】
［変形例］
以上、本発明の実施形態について説明したが、本発明はこれに限定されるものではなく、特許請求の範囲の趣旨を変えない範囲で実施することができる。
【００４７】
実施形態では、媒体処理装置として現金自動預払機（ＡＴＭ：Automated /Automatic Teller Machine）を例示して説明したが、媒体を取り扱う様々な装置に本発明を適用できる。
【００４８】
また、実施形態では、図１に示すように、現金自動預払機１が返却口３ａを備え、異物除去部１０ｂを用いて異物を返却口３ａに搬送し、誤って投入された異物を顧客に返却していた。しかしながら、現金自動預払機１が返却口３ａを備えず、異物を顧客に返却しない構成にすることもできる。その場合、異物除去部１０ｂの一端側（ここでは右側）に形成された排出口２１ｄの近くに異物をためておく容器を配置し、作業員が異物除去部１０ｂを清掃する際に異物を回収するようにしてもよい。
【００４９】
また、現金自動預払機１が返却口３ａを備えず、異物を顧客に返却しないことを想定した場合、図４に示すベルトコンベアによって異物を除去する異物除去部１０ｂに代えて、ベルトコンベアを有しない異物除去部を設けるようにしてもよい。その場合、図７に示す変形例に係る異物用容器１３０を実施形態に係る異物用容器３０（図６参照）に代えて異物除去部本体２０（図５参照）に装着可能な構成にしてもよい。
図７に示す異物用容器１３０は、異物用容器３０と同様に異物除去部本体２０から取り外し可能であり、取り外す場合に作業員が掴むための摘み部３１ｅと、異物除去部本体２０に固定するためのネジ止め用のネジ孔３１ｆとが形成されている。異物用容器１３０は、孔部１０ｅに対向する側が凹んだ器形状を呈しており、容器側筐体１３１の内部空間１３１ａに異物Ｆをたくわえることが可能である。
そうすることで、異物用容器３０と異物用容器１３０とは共に異物除去部本体２０から取り出せる構成なので、接客部１０の構成を大きく変更することなく（例えば、電動モータ２３、第一ギヤ２４、スプリング２５を外すことにより）、異物を顧客に返却するか、または、異物を接客部１０内にたくわえておき作業員がその異物を回収するかを選択することが可能になる。そのため、接客部１０を様々な装置で共通して使用することができるので、製造コストを削減できる。つまり、一つの装置で色々なバリエーションに対応可能になる。
【符号の説明】
【００５０】
１      現金自動預払機（媒体処理装置）
１０    接客部
１０ａ  紙幣収納部
１０ｂ  異物除去部（異物除去構造）
１０ｅ  孔部（異物除去構造）
１０ｆ  紙幣支持部
２０    異物除去部本体
２１    本体側筐体
２２    ブラケット
２３    電動モータ
２４    第一ギヤ
２５    スプリング
３０    異物用容器
３１    容器側筐体
３２ａ，３２ｂ  搬送プーリ
３３    搬送ベルト
３４    第二ギヤ
３５    ねじりコイルバネ
３６    開口部
４２    固定手段
１３０  異物用容器（他の異物用容器）
【図１】
2020087032.tif 000003
【図２】
2020087032.tif 000004
【図３】
2020087032.tif 000005
【図４】
2020087032.tif 000006
【図５】
2020087032.tif 000007
【図６】
2020087032.tif 000008
【図７】
2020087032.tif 000009